(57)【要約】【課題】様々な物品の情報管理の利便性向上と、必要な物を探すときの手助けとなる、ＲＦＩＤ読み取り・通信装置及びこれを用いたデータベースと捜索機能を提供する。【解決手段】ユニークな番号、物品名称、分類項目、場所などの情報を記録した物品ＲＦＩＤタグ１００を物品に添付し、ＲＦＩＤ読み取り・通信装置８００に登録する。このＲＦＩＤ読み取り・通信装置８００にアクセスすることで、物品の情報管理や検索を行うことが出来る。また、必要な物品を捜索する際、ＲＦＩＤ読み取り・通信装置８００から捜索したい物品情報を引き出し、捜索する際に携帯する。捜索対象の物品ＲＦＩＤタグ１００の近くになるとＲＦＩＤ読み取り・通信装置８００で通信が可能となるため、捜索する際の良い手がかりとなる。【選択図】図１
2005071193.tif 000002
【特許請求の範囲】
【請求項１】
ＲＦＩＤを物品又は物品の近傍に取り付けておき、前記ＲＦＩＤからの情報を読み取りができる携帯型のＲＦＩＤ読み取り通信装置を用いて、物品の近くにきたことを知らせるようにして、物品を捜索できるようにしたＲＦＩＤを用いた物品管理装置。
【請求項２】
前記、ＲＦＩＤは場所を示す場所タグと物品を示す物品タグの両方が貼られており、場所タグと、物品タグの両方で物品を捜索するようにしたことを特徴とした請求項１のＲＦＩＤを用いた物品管理装置。
【請求項３】
前記携帯型ＲＦＩＤ読み取り通信装置は、物品情報の登録されているコンピュータネットワークに接続可能であり、データベースと通信を行い、探している物品の情報を取り出すことができるようにした請求項１〜３のＲＦＩＤを用いた物品管理装置。
【発明の詳細な説明】
【技術分野】
【０００１】
あらゆる物品の管理をする際にＲＦＩＤを利用したものに関する発明である。
【背景技術】
【０００２】
従来、物品の管理をする際は、データをデータベースに登録し、対象物品に番号などを書いたタグを付け、決められた場所に置くなどの方法で管理していた。しかし、この方法では何らかの原因で対象物品の場所が分からなくなった際、どこにあるのかも分からず、捜索に多大な手間と時間がかかっていた。
【０００３】
一方ＲＦＩＤを利用したものは各種あるが、特開２００２−２６９５０８  図２のように、ＲＦＩＤに記憶されている情報を読み取ったり書きこんだりしているだけである。
【特許文献１】特開２００２−２６９５０８  図２
【発明の開示】
【発明が解決しようとする課題】
【０００４】
このように、ただデータをデータベースに登録して管理するだけでは、物品の紛失などの不測の事態に対応することが不可能であった。
【０００５】
そこで本発明は、離れた場所から情報を読み取る事が出来るＲＦＩＤの特性を利用し、紛失した物品を捜索する際のアシストをすることを目的とする物である。
【課題を解決するための手段】
【０００６】
本発明の請求項１記載の発明は、携帯可能なＲＦＩＤ読み取り・通信装置を用いて、紛失物に取り付けられているＲＦＩＤとＲＦＩＤ読み取り・通信装置間で通信が可能となると、紛失物が近くにあることを知らせてくれる、紛失物などの捜索に威力を発揮する物である。
【０００７】
また請求項２記載の発明は、物品にＲＦＩＤを取り付けておくこととともに、その場所にもＲＦＩＤを取り付けておき、物品情報の登録に利用したり、紛失物品の捜索時に大まかな位置を特定することを目的としている。
【０００８】
また請求項３記載の発明は、前記携帯型ＲＦＩＤ読み取り通信装置にコンピュータネットワーク接続機能を付加することで、コンピュータネットワーク上に接続されたデータベースと通信を行い、捜索物品の情報を取り出すことが出来るようにしたものである。
【発明の効果】
【０００９】
以上の説明から明らかなように本発明の請求項１記載の発明は、物品の検索や捜索にかかる時間を大幅に削減することが可能となる。
また、請求項２記載の発明は、物品の保管場所にもＲＦＩＤを取り付けることで、請求項１記載の発明よりも物品の捜索や管理にかかる時間を短縮することが可能となる。
【００１０】
更に、請求項３記載の発明は、ＲＦＩＤ読み取り・通信装置にコンピュータネットワーク接続機能を付加することにより、情報を管理するデータベースを他のコンピュータ上に構築することが可能となる。その結果、情報を他人と共有することが出来るため、請求項１及び２に比べて利便性が向上する。
【発明を実施するための最良の形態】
【００１１】
以下、本発明の実施の形態について、図面を用いて説明する。
図面１は本発明の請求項１の実施形態を示す概略図である。構成は、管理対象物品１００とそれに取り付けられた物品ＲＦＩＤタグ３００、携帯可能でＲＦＩＤの情報を読み取り・通信可能なＲＦＩＤ読み取り・通信装置８００である。
【００１２】
登録情報を管理するテーブルの例を図２に示す。この様に、ＲＦＩＤのＩＤと品名を対応づけている。そのほか、備考や所有者、購入日、重要度などの必要と思われるフィールドを追加することが考えられる。
【００１３】
物品を捜索する場合の流れを図面３に示す。物品を捜索するには、以下に示す４つの手順で行う。
（１）図面３（１）にあるようにＲＦＩＤ読み取り・通信装置８００に管理対象物品１００の情報と、管理対象物品１００に取り付ける物品ＲＦＩＤタグ３００の情報を登録する。
（２）捜索を行うときに図面３（２）にあるようにＲＦＩＤ読み取り・通信装置８００で捜索対象となる管理対象物品１００の情報を引き出し、捜索物品として設定する。設定すると、ＲＦＩＤ読み取り・通信装置８００が通信可能なＲＦＩＤの情報を常に捜索し続ける。
【００１４】
（３）図面３（３）にあるように、ＲＦＩＤ読み取り・通信装置８００をもって、探し回る。
【００１５】
（４）図面３（４）にあるように物品ＲＦＩＤタグ３００がＲＦＩＤ読み取り・通信装
置８００の通信可能範囲に入るとＲＦＩＤ読み取り・通信装置８００と物品ＲＦＩＤタグ３００が通信可能となるため、ＲＦＩＤ読み取り・通信装置８００が管理対象物品１００が近くにあることを捜索人に知らせ、物品ＲＦＩＤタグ３００及び管理対象物品１００が近くにあることが解る。捜索人はその付近を捜索して物品ＲＦＩＤタグ３００が付いた管理対象物品１００を見つけることが出来る。
【００１６】
ここで、ＲＦＩＤ読み取り・通信装置８００が管理対象物品１００が近くにあることを知らせる方法としては、音を鳴らす、振動する、光るなどの手段が挙げられる。
【００１７】
また、請求項２の発明は、前記請求項１の発明に加え、物品を保管する場所にもＲＦＩＤタグを取り付け、物品の捜索をさらに容易にする物である。
【００１８】
図面４は本発明の請求項２の実施形態を示す概略図である。構成は、請求項１の構成に、物品を保管する場所に取り付けられた物品ＲＦＩＤタグ２００を加えた物である。
【００１９】
図面５に請求項２における登録情報を管理するテーブルの例を示す。これは、請求項１の物品情報管理テーブルに、場所情報を管理するテーブルを加えて拡張した物である。そして図面６に場所情報管理テーブルの例を示す。ここで、物品情報管理テーブルの場所を示すフィールドの内容が、場所情報管理テーブルの場所と対応している。
【００２０】
請求項２の発明を用いて物品を捜索する場合の流れを図面７に示す。物品を捜索するには、以下に示す４つの手順で行う。
（１）図面７（１）にあるようにＲＦＩＤ読み取り・通信装置８００に管理対象物品１００の情報と、管理対象物品１００に取り付ける物品ＲＦＩＤタグ３００および場所ＲＦＩＤタグ２００の情報を登録する。
【００２１】
（２）捜索を行うときに図面７（２）にあるようにＲＦＩＤ読み取り・通信装置８００で捜索対象となる管理対象物品１００の情報を引き出し、捜索物品として設定する。設定すると、ＲＦＩＤ読み取り・通信装置８００が通信可能なＲＦＩＤの情報を常に捜索し続ける。
【００２２】
（３）  図面７（３）にあるように、ＲＦＩＤ読み取り・通信装置８００をもって、探し回る。
【００２３】
（４） 図面７（４）にあるように場所ＲＦＩＤタグ２００がＲＦＩＤ読み取り・通信装置８００の通信可能範囲に入るとＲＦＩＤ読み取り・通信装置８００と場所ＲＦＩＤタグ２００が通信可能となり、ＲＦＩＤ読み取り・通信装置８００が管理対象物品１００を保管した場所が近くにあることを捜索人に知らせ、場所ＲＦＩＤタグ２００及び物品ＲＦＩＤタグ３００、管理対象物品１００が近くにあることが解る。捜索人はその場所を捜索して物品ＲＦＩＤタグ３００が付いた管理対象物品１００を見つけることが出来る。
【００２４】
続いて請求項３の発明は、請求項１と２の発明に加え、ＲＦＩＤ読み取り・通信装置８００が備えるコンピュータネットワーク接続機能を用いて、インターネットやＬＡＮ上の他のコンピュータ内にある情報管理データベースと情報のやりとりを行って、物品情報の登録や捜索物品の情報の参照を行うことが出来る物である。
【００２５】
請求項３の発明によれば、物品情報や保管場所情報を管理するデータベースをＲＦＩＤ読み取り・通信装置８００内に持つ必要はなくなる。よって、ＲＦＩＤ読み取り・通信装置８００を小型で簡易なものとすることができる。
【００２６】
図面８は本発明の請求項３の実施形態を示す概略図である。構成は、請求項２の構成に、ＲＦＩＤ読み取り・通信装置８００が通信を行うことが出来るコンピュータネットワークに接続された、情報管理データベース９００を加えた物である。これらにより、更に大容量のデータから必要なデータを取り出せるようになる。
【００２７】
請求項３の発明を用いて物品を捜索する場合の流れを図面９に示す。物品を捜索するには、以下に示す４つの手順で行う。
（１）図面９（１）にあるようにＲＦＩＤ読み取り・通信装置８００を用いて情報管理データベース９００に管理対象物品１００の情報と、管理対象物品１００に取り付ける物品ＲＦＩＤタグ３００および場所ＲＦＩＤタグ２００の情報を登録する。
【００２８】
（２）捜索を行うときに図面９（２）にあるようにＲＦＩＤ読み取り・通信装置８００で捜索対象となる管理対象物品１００の情報を情報管理データベース９００より引き出し、捜索物品として設定する。設定すると、ＲＦＩＤ読み取り・通信装置８００が通信可能なＲＦＩＤの情報を常に捜索し続ける。
【００２９】
（３）図面９（３）にあるように、ＲＦＩＤ読み取り・通信装置８００をもって、探し回る。
【００３０】
（４）図面９（４）にあるように物品ＲＦＩＤタグ３００がＲＦＩＤ読み取り・通信装置８００の通信可能範囲に入るとＲＦＩＤ読み取り・通信装置８００と物品ＲＦＩＤタグ３００が通信可能となるため、ＲＦＩＤ読み取り・通信装置８００が管理対象物品１００が近くにあることを捜索人に知らせるので、物品ＲＦＩＤタグ３００及び管理対象物品１００が近くにあることが解る。捜索人はその付近を捜索して物品ＲＦＩＤタグ３００が付いた管理対象物品１００を見つけることが出来る。
【実施例】
【００３１】
登録のシーケンスの実施例を挙げる。
1. 物品登録シーケンス
S1-01    物品を登録する
S1-02    登録する物品を選択する
S1-03    物品にＲＦＩＤを取り付ける
S1-04    ＲＦＩＤ読込処理
S1-05    登録情報管理テーブルに照会
S1-06    情報を一覧表示
S1-07    一覧より登録する物品を選択
S1-08    登録画面を表示
S1-09    情報を入力する
S1-10    登録情報管理テーブルに情報を登録する
S1-11    終了
図は管理対象物品の情報をＲＦＩＤ読み取り・通信装置で登録する際の手順を示している。物品情報の登録は、ステップS1-01から開始する。まずステップS1-02では、管理対象としたい物品を使用者が選択する。ステップS1-03では、ステップS1-02で選択した物品にＲＦＩＤを使用者が取り付ける。ステップS1-04では、ＲＦＩＤ読み取り・通信装置が通信可能なＲＦＩＤの情報を全て読み込む。ステップS1-05では、ステップS1-04で読み込んだ全てのＲＦＩＤの情報を通信装置が登録情報管理テーブルに照会し、登録されているＲＦＩＤであれば登録情報を読み込む。ステップS1-06では、ステップS1-04にて読み込んだ全てのＲＦＩＤの情報をＲＦＩＤ読み取り・通信装置の表示部に一覧表示する。その際、ステップS1-05で判明した、すでに登録されている物品については、登録情報（例えば品名）を表示し、未登録の物品については読み込んだＩＤを表示する。ステップS1-07では、ステップS1-06にて一覧表示されている中から登録したいＩＤを使用者が選択する。ステップS1-08では、ステップS1-07にて選択された物品の情報を入力し登録する、登録画面をＲＦＩＤ読み取り・通信装置の表示部に表示する。ステップS1-09では、使用者が品名などの情報を入力する。ステップS1-10では、入力された情報を登録情報管理テーブルに登録し、登録作業を終了する。
【００３２】
次に捜索のシーケンスの実施例を挙げる。
2. 物品捜索シーケンス
S2-01    物品を捜索する
S2-02    検索画面を表示
S2-03    登録されている物品を一覧表示
S2-04    捜索対象物品を一覧より選択
S2-05    ＲＦＩＤ読込処理
S2-06    捜索対象ＲＦＩＤと通信可能?
S2-07    捜索対象物品が近くにあることを通知する
S2-08    終了
物品の捜索はステップS2-01から始まる。まずステップS2-02では、使用者がＲＦＩＤ読み取り・通信装置の検索画面を表示する。ステップS2-03では、登録情報管理テーブルに登録されている物品の一覧を表示する。ステップS2-04では、ステップS2-03で表示された物品の一覧より、使用者が捜索したい物品を選択し、捜索物品に指定する。ステップS2-05では、ＲＦＩＤ読み取り・通信装置が通信可能な全てのＲＦＩＤの情報を読み込む。ステップS2-06では、ステップS2-05で読み込んだＲＦＩＤの情報のうち、捜索物品のＲＦＩＤと同一の物があるか調べる。もし同じ物がなければステップS2-05へ戻る。同じ物があれば、ステップS2-07にすすみ、使用者からの中止指示があった場合はステップS2-08へ進む。ステップS2-07では、捜索物品のＲＦＩＤと通信が可能となったため、捜索物品が近くにあることを使用者へ通知する。以上で捜索は完了し、ステップS2-08で終了する。
【産業上の利用可能性】
【００３３】
本願は簡単に実施でき、産業上の利用可能性大なるものである。
【図面の簡単な説明】
【００３４】
【図１】請求項１の実施形態を示す概略図
【図２】請求項１における物品情報管理テーブル
【図３】請求項１における運用手順（１）（２）
【図４】請求項１における運用手順（３）（４）
【図５】請求項２の実施形態を示す概略図
【図６】請求項２における物品情報管理テーブル
【図７】請求項２における場所情報管理テーブル
【図８】請求項２における運用手順（１）（２）
【図９】請求項２における運用手順（３）（４）
【図１０】請求項３の実施形態を示す概略図
【図１１】請求項３における運用手順（１）（２）
【図１２】請求項３における運用手順（３）（４）
【図１３】登録のシーケンス
【図１４】捜索のシーケンス
【符号の説明】
【００３５】
１００  物品ＲＦＩＤタグ
２００  場所ＲＦＩＤタグ
８００  ＲＦＩＤ読み取り・通信装置
８５０  ＲＦＩＤ読み取り・通信装置画面表示例
９００  ＲＦＩＤ情報管理データベース
【図１】
2005071193.tif 000003
【図２】
2005071193.tif 000004
【図３】
2005071193.tif 000005
【図４】
2005071193.tif 000006
【図５】
2005071193.tif 000007
【図６】
2005071193.tif 000008
【図７】
2005071193.tif 000009
【図８】
2005071193.tif 000010
【図９】
2005071193.tif 000011
【図１０】
2005071193.tif 000012
【図１１】
2005071193.tif 000013
【図１２】
2005071193.tif 000014
【図１３】
2005071193.tif 000015
【図１４】
2005071193.tif 000016